(57)【要約】      （修正有）【課題】送話器によって集音された音声の周波数特性をイコライジングする。【解決手段】電話機１００の使用者が話をしている最中に送話器１６０によって集音された音声の周波数帯域毎の音声パワーに基づいて、送話器１６０によって集音される周波数特性を調整するための初期パラメータを調整してイコライジングパラメータを生成し、当該イコライジングパラメータを用いて送話器１６０によって集音される音声の周波数特性をイコライジングするイコライジング部１２０を備える。【選択図】図１
2012195813.tif 000002
【特許請求の範囲】
【請求項１】
送話器によって集音された音声の周波数特性をイコライジングする電話機であって、
当該電話機の使用者が話をしている最中に前記送話器によって集音された音声の周波数帯域毎の音声パワーに基づいて、前記送話器によって集音される音声の周波数特性をイコライジングするイコライジング部
を備える電話機。
【請求項２】
前記イコライジング部は、当該電話機の使用者が話をしている最中に前記送話器によって集音された音声の周波数帯域毎の音声パワーに基づいて、前記送話器によって集音される周波数特性を調整するための初期パラメータを調整してイコライジングパラメータを生成し、当該イコライジングパラメータを用いて前記送話器によって集音される音声の周波数特性をイコライジングする
請求項１に記載の電話機。
【請求項３】
前記イコライジング部は、当該電話機の使用者が話をしている最中に前記送話器によって集音された音声の周波数帯域毎の音声パワーと、当該音声パワーのパワーレベルに対する所定のしきい値との関係に基づいて、前記初期パラメータを調整して前記イコライジングパラメータを生成するための調整値を算出する
請求項２に記載の電話機。
【請求項４】
前記イコライジング部は、当該電話機の使用者が話をしていない最中に前記送話器によって集音された騒音の周波数帯域毎の騒音パワーに更に基づいて、前記送話器によって集音される音声の周波数特性をイコライジングする
請求項１から３のいずれか一項に記載の電話機。
【請求項５】
前記イコライジング部は、前記音声パワー及び前記騒音パワーのパワーレベルの差と、これら各パワーレベルに対する所定のしきい値との関係に基づいて、当該電話機の使用者の音声のみを抽出し、当該使用者の音声の周波数帯域毎の使用者音声パワーに基づいて、前記送話器によって集音される周波数特性を調整するための初期パラメータを調整してイコライジングパラメータを生成し、当該イコライジングパラメータを用いて前記送話器によって集音される音声の周波数特性をイコライジングする
請求項４に記載の電話機。
【請求項６】
送話器によって集音された音声の周波数特性をイコライジングする電話機を制御する制御方法であって、
当該電話機の使用者が話をしている最中に前記送話器によって集音された音声の周波数帯域毎の音声パワーに基づいて、当該音声の周波数特性をイコライジングするイコライジング段階
を備える制御方法。
【請求項７】
送話器によって集音された音声の周波数特性をイコライジングする電話機用のプログラムであって、前記電話機を、
当該電話機の使用者が話をしている最中に前記送話器によって集音された音声の周波数帯域毎の音声パワーに基づいて、当該音声の周波数特性をイコライジングする周波数特性イコライジング部
として機能させるプログラム。
【発明の詳細な説明】
【技術分野】
【０００１】
本発明は、電話機、制御方法、及びプログラムに関する。特に、本発明は、送話器によって集音された音声の周波数特性をイコライジングする電話機、当該電話機を制御する制御方法、並びに当該電話機用のプログラムに関する。
【背景技術】
【０００２】
携帯電話の送話信号は、使用可能な周波数帯域内においてその感度が規格されている。そのため、携帯電話は、それを基にイコライザー等で調整を実施し、送話音の周波数特性を生成している。しかしながら、相手への送出する音声の明瞭性を上げるには限界があり、単純にレベルを上げれば、周囲騒音も相手へ伝わるため明瞭性のある送話音声に調整するのは容易ではなかった。
【０００３】
このような背景に鑑みて成された技術としては、周囲騒音の音声への混入を軽減すると共に、周囲騒音の少ない静かな場所での通話音の音質を損なうことなく伝達できる技術が知られている（例えば、特開平０８−３２０１５４号公報）。
【先行技術文献】
【特許文献】
【０００４】
【特許文献１】特開平０８−３２０１５４号公報
【発明の概要】
【発明が解決しようとする課題】
【０００５】
しかしながら、特許文献１に記載の技術は、使用者が発する音声の周波数帯域に応じて、送話信号の周波数特性を調整することができない。そのため、特許文献１に記載の技術によっては、使用者の音声の明瞭性を上げるのに限界がある。
【課題を解決するための手段】
【０００６】
上記課題を解決するために、本発明の第１の形態によると、送話器によって集音された音声の周波数特性をイコライジングする電話機であって、当該電話機の使用者が話をしている最中に送話器によって集音された音声の周波数帯域毎の音声パワーに基づいて、送話器によって集音される音声の周波数特性をイコライジングするイコライジング部を備える。
【０００７】
本発明の第２の形態によると、送話器によって集音された音声の周波数特性をイコライジングする電話機を制御する制御方法であって、当該電話機の使用者が話をしている最中に送話器によって集音された音声の周波数帯域毎の音声パワーに基づいて、当該音声の周波数特性をイコライジングするイコライジング段階を備える。
【０００８】
本発明の第３の形態によると、送話器によって集音された音声の周波数特性をイコライジングする電話機用のプログラムであって、電話機を、当該電話機の使用者が話をしている最中に送話器によって集音された音声の周波数帯域毎の音声パワーに基づいて、当該音声の周波数特性をイコライジングする周波数特性イコライジング部として機能させる。
【０００９】
なおまた、上記のように発明の概要は、本発明の必要な特徴の全てを列挙したものではなく、これらの特徴群のサブコンビネーションもまた、発明となり得る。
【発明の効果】
【００１０】
以上の説明から明らかなように、この発明によっては、既知の技術と比較して、使用者の音声をより明瞭にした送話音声を生成することができる。
【図面の簡単な説明】
【００１１】
【図１】一実施形態に係る携帯電話１００のハードウェア構成の一例を示す図である。
【図２】携帯電話１００の動作フローの一例を示す図である。
【図３】分割された周波数帯域毎のパワー計算結果の一例を示す図である。
【図４】図３に示すパワーを平滑化させたイコライジングパラメータ生成用に用いる参考特性の一例を示す図である。
【図５】マイクロフォン１６０によって集音される周波数特性を調整するための初期パラメータの一例を示す図である。
【図６】ＤＳＰ１２０で生成されたイコライジングパラメータの一例を示す図である。
【図７】携帯電話１００の動作フローの他の例を示す図である。
【図８】周囲騒音を含む使用者の音声パワー特性の一例と、周囲騒音のみの騒音パワー特性の一例を示す図である。
【図９】図８に示す各パワーを平滑化した特性を示す図である。
【図１０】イコライジングパラメータ生成用に用いる参考特性を示す図である。
【発明を実施するための形態】
【００１２】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１３】
図１は、一実施形態に係る携帯電話１００のハードウェア構成の一例を示す。携帯電話１００は、無線通信を利用した、持ち歩ける電話機である。より具体的に説明すると、携帯電話１００は、マイクロフォン１６０によって集音された音声の周波数特性をイコライジングする機能を有する。なおまた、携帯電話１００は、この発明における「電話機」の一例であってよい。また、マイクロフォン１６０は、この発明における「送話器」の一例であってよい。
【００１４】
携帯電話１００は、ＣＰＵ（Ｃｅｎｔｒａｌ  Ｐｒｏｃｅｓｓｉｎｇ  Ｕｎｉｔ）１１０、ＤＳＰ（Ｄｉｇｉｔａｌ  Ｓｉｇｎａｌ  Ｐｒｏｃｅｓｓｏｒ）１２０、メモリ１３０、ディスプレイ１４０、キーボード１５０、マイクロフォン１６０、アンプ１７０、ＡＤＣ（Ａｎａｌｏｇ  Ｄｉｇｉｔａｌ  Ｃｏｎｖｅｒｔｅｒ）１８０、ＤＡＣ（Ｄｉｇｉｔａｌ  Ａｎａｌｏｇ  Ｃｏｎｖｅｒｔｅｒ）１９０、アンプ２００、及びスピーカー２１０を備える。なおまた、ＤＳＰ１２０は、この発明における「イコライジング部」の一例であってよい。
【００１５】
ＣＰＵ１１０は、携帯電話１００を構成する部品の一つで、ＤＳＰ１２０、メモリ１３０、ディスプレイ１４０、及びキーボード１５０の制御やデータの計算、加工を行う装置である。より具体的に説明すると、ＣＰＵ１１０は、ＤＳＰ１２０、メモリ１３０、ディスプレイ１４０、及びキーボード１５０とそれぞれ電気的に接続されている。そして、ＣＰＵ１１０は、携帯電話１００全体を制御すると共に通話・通信に関連する種々の演算処理に関係する処理・指示を行い、また、着信音・音声・送話感度等の音量を切り替え指示の処理を行う機能を有する。
【００１６】
ＤＳＰ１２０はＣＰＵ１１０に接続されており、送受話部での音声信号処理、着信音等のメロディーデータや音楽データの信号処理等を行い、録音したデータの周波数帯域毎のパワー計算ができる機能を有するものとする。ＤＳＰ１２０は、ＣＰＵ１１０からの指示を受けて送話音声信号制御を行う。また、ＤＳＰ１２０は周波数帯域毎にレベル制御ができる一種のイコライザー機能を有しているものとする。
【００１７】
メモリ１３０はＣＰＵ１１０とＤＳＰ１２０に接続されており、ＣＰＵ１１０やＤＳＰ１２０での演算した結果等のデータや種々の機能設定状態をデータに変換して格納しており、着信音メロディーデータや音楽データを格納しており、また、録音したデータ等も格納可能とする。
【００１８】
ディスプレイ１４０はＣＰＵ１１０に接続されており、機能設定時の選択画面、機能の設定状況等を表示する。
【００１９】
キーボード１５０はＣＰＵ１１０に接続されており、発呼、通話開始・終了、メニュー選択時のキー入力等に使用者が操作するものであり、本機能で必要となる特定の機能が所定のキーにアサインされているものとする。
【００２０】
ＡＤＣ１８０は、マイクロフォン１６０で集音したアナログ信号をデジタル信号に変換する。アンプ１７０はマイクロフォン１６０に接続されており、送話音声信号を増幅する。
【００２１】
ＤＡＣ１９０はＤＳＰ１２０に接続されており、ＤＳＰ１２０から出力された音声・音楽のデジタル信号をアナログ信号に変換を行う。アナログ信号に変換された音声・音楽はアンプ２００経由し増幅され、スピーカー２１０から出力される。
【００２２】
図２は、携帯電話１００の動作フローの一例を示す。図３は、分割された周波数帯域毎のパワー計算結果の一例を示す。図４は、図３に示すパワーを平滑化させたイコライジングパラメータ生成用に用いる参考特性の一例を示す。図５は、マイクロフォン１６０によって集音される周波数特性をイコライジングするための初期パラメータの一例を示す。図６は、ＤＳＰ１２０で生成されたイコライジングパラメータの一例を示す。携帯電話１００の動作について、図１から６を参照して説明する。騒音の少ない静かな環境で使用した場合に関して説明する。
【００２３】
先ず、待ち受け状態から、機能としてメニューにある送話音声制御機能がキーボード１５０で選択されると、本機能が動作するものとする。
【００２４】
次に待ち受け状態から通話状態に入ると、ＤＳＰ１２０は、ＣＰＵ１１０からの指示を受けて、マイクロフォン１６０から集音した使用者の音声をある一定期間繰り返しメモリ１３０に録音する（Ｓ１０１）。ここで使用者の音声を一定期間繰り返し録音とあるが、周囲騒音も録音されるものとする。指示に従い、マイク用音孔を通り、マイクロフォン１６０から集音された使用者の音声は、アンプ１７０を通り増幅され、ＡＤＣ１８０を通り、ＤＳＰ１２０でデータ圧縮等が行われメモリ１３０に収集される。この時点では、使用者の送話音声はイコライジングをしていない状態で、相手へ送出されるものとする。
【００２５】
そして、ＤＳＰ１２０は、ＣＰＵ１１０からの指示を受けて、メモリ１３０に格納された使用者の音声データを各周波数帯域に分割し、分割された帯域毎のパワー計算を行う（Ｓ１０２）。この動作もある一定期間繰り返し行うものとする。
【００２６】
そして、ＣＰＵ１１０はＤＳＰ１２０で先ほど算出した結果を基に、ＤＳＰ１２０にて、送話周波数特性のイコライジングに使用するイコライジングパラメータ生成を指示する。ＤＳＰ１２０はイコライジングパラメータを生成する（Ｓ１０３）。図４に示すように、平滑化したデータを基に、しきい値αより大きい帯域は、大きい分レベルをアップさせ、小さい帯域は、小さい分レベルをダウンさせ、イコライジングパラメータを生成する。具体的には大きい場合は図４の帯域４で説明するとＡ分、しきい値αより大きいので、図６の帯域４はＡ分上げるように調整される。逆に小さい場合は図４の帯域２で説明するとＢ分、しきい値αより小さいので、図６の帯域２はＢ分下がるように調整される。
【００２７】
そして、ＤＳＰ１２０は、ＣＰＵ１１０からの指示を受けて、イコライジングパラメータを適用してイコライジング処理を行って、使用者の音声の特徴に合わせた使用者の音声帯域部を強調した音声を送出する（Ｓ１０４）。
【００２８】
ステップＳ１０１で使用者の音声をある一定期間繰り返しメモリ１３０に録音するとあるが、ここで、再度録音されるとステップＳ１０１からステップＳ１０４を繰り返し、順次イコライジングパラメータが更新され、常時に使用者の音声の特徴に合わせた使用者の音声帯域部が強調された音声が送出される。
【００２９】
図７は、携帯電話１００の動作フローの他の例を示す。図８は、周囲騒音を含む使用者の音声パワー特性の一例と、周囲騒音のみの騒音パワー特性の一例を示す。図９は、図８に示す各パワーを平滑化した特性を示す。図１０は、イコライジングパラメータ生成用に用いる参考特性を示す。次に非常に騒音が大きい環境での使用を考慮した場合に関して、説明をする。
【００３０】
図２の動作フローの動作と同様、先ず、待ち受け状態から、機能としてメニューにある送話音声制御機能がキーボード１５０で選択される。次に待ち受け状態から通話状態に入ると、ＤＳＰ１２０は、ＣＰＵ１１からの指示を受けて、マイクロフォン１６０から集音した使用者の音声をある一定期間繰り返しメモリ１３０に録音する（Ｓ２０１）。ここで使用者の音声を一定期間繰り返し録音とあるが、非常に騒音が大きい環境のため、使用者の音声と同時に周囲騒音も録音されるものとする。指示に従い、マイク用音孔を通り、マイクロフォン１６０から集音された使用者の音声及び周囲騒音は、アンプ１７０を通り増幅され、ＡＤＣ１８０を通り、ＤＳＰ１２０でデータ圧縮等が行われメモリ１３０に収集される。この時点では、送話音声はイコライジングされていない状態で、相手へ送出されるものとする。
【００３１】
そして、使用者が騒音が大きいと感じた場合や通話相手に騒音で聞き取り難いと言われた場合に、使用者が話さない状態で、キーボード１５０にあらかじめ配置しておいた特定キーを長押しすることで（携帯電話によくあるマナーモード時設定で利用するキー長押しのイメージ）、長押ししている間に、周囲騒音がマイク用音孔を通り、マイクロフォン１６０で集音され、アンプ１７０を通り増幅され、ＡＤＣ１８０を通り、ＤＳＰ１２０でデジタル信号処理を行いメモリ１３０に周囲騒音のみのデータとして収集される（Ｓ２０２）。
【００３２】
そして、ＤＳＰ１２０は、ＣＰＵ１１０からの指示を受けて、メモリ１３０に格納された周囲騒音を含む使用者の音声データ及び周囲騒音データを各周波数帯域に分割し、分割された帯域毎のパワー計算を行う（Ｓ２０３）。
【００３３】
そして、ＤＳＰ１２０は、ＣＰＵ１１０からの指示を受けて、周囲騒音を含む使用者の音声データのパワー算出値が周囲騒音のみのデータのパワー算出値より、全帯域で同等以上であるか判定をする（Ｓ２０４）。判定の結果、全帯域同等以上ではないときは（Ｓ２０４：Ｎｏ）、新たな周囲騒音を含む使用者の音声データが算出されるのを待ち、再度ステップＳ２０４に入る。
【００３４】
全帯域同等以上と判定されたら（Ｓ２０４：Ｙｅｓ）、ＤＳＰ１２０は、先ほど算出した結果を基に、送話周波数特性のイコライジングに使用するイコライジングパラメータを生成する（Ｓ２０５）。先ず、ＤＳＰ１２０は、イコライジングパラメータを生成するのに用いる参考特性を生成する。調整参考特性は、周囲騒音を含む使用者の音声データが周囲騒音データより大きい場合（具体的には図９の帯域３や帯域４）、大きい分レベルアップをさせる。また、周囲騒音を含む使用者の音声データと周囲騒音データが同等レベルでかつ、基準線より大きいレベルの帯域は（具体的には図９の帯域１や帯域２）、しきい値βより大きい分レベルをダウンさせる。また、周囲騒音を含む使用者の音声データと周囲騒音データが同等レベルでかつ、しきい値βより小さいレベルの帯域は（具体的には図９の帯域８や帯域９）、特に調整をしない。そして、ＤＳＰ１２０はイコライジングパラメータを生成する。イコライジングパラメータを生成する手順は騒音の少ない静かな環境で使用した場合と同様、参考特性からしきい値αより大きい帯域は、大きい分レベルをアップさせ、小さい帯域は、小さい分レベルをダウンさせ、パラメータを生成するものとする。
【００３５】
そして、ＤＳＰ１２０は、ＣＰＵ１１からの指示を受けて、生成したイコライジングパラメータを適用してイコライジングを行い、周囲騒音のレベルが下げ、使用者の音声部のみ強調した音声が送出される。
【００３６】
上記のように、携帯電話１００で送話音声を使用者の音声帯域に合わせたイコライジングパラメータを生成し、使用することでより聞こえやすい明瞭性のある音声を相手へ伝えることが可能になる。
【００３７】
以上説明したように、本発明においては、以下に記載するような効果を奏する。第１の効果は、携帯電話１００において、マイクロフォン１６０で音声を集音し、その集音した音声を各周波数帯域に分割し、分割された帯域毎のパワーを基に送話周波数特性を調整し、音声送出時にそのデータを用いてパラメータとして補正するように制御し、相手へ送出することにより、使用者に合わせた明瞭性のある送話音声を提供することができる。
【００３８】
第２の効果は、携帯電話１００において、マイクロフォン１６０で音声及び周囲騒音を集音し、その集音したデータを各周波数帯域に分割し、分割された帯域毎のパワーを基に送話周波数特性を調整し、音声送出時にそのデータを用いてパラメータとして補正するように制御し、相手へ送出することにより、周囲騒音の影響を受けにくい、明瞭性のある送話音声を提供することができる。
【００３９】
本発明の他の実施例として、その基本的構成は上記の通りであるが、マイクロフォン１６０を指向性マイクロフォンにすることで、通話者の口元に指向性を持たせることで、より使用者の音声の特徴を明確に録音が可能となり、効果向上が可能である。
【００４０】
また、２つのマイクロフォンを搭載し、一つは音声のみ集音するマイクロフォンともう一つは極力音声のみ集音するマイクロフォンから離した位置に実装をする周囲騒音のみ集音するマイクロフォンと用途を分けて実装することで、周囲騒音と使用者の音声を分離して、パラメータを計算することで、より明瞭性のある音声を送信することができ、効果向上も可能である。
【００４１】
また、動画撮影時の音声録音やボイスレコーダーの音声録音時でも同様な機能を用いれば、明瞭性のある音声を録音可能となる。
【００４２】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４３】
１００  携帯電話
１１０  ＣＰＵ
１２０  ＤＳＰ
１３０  メモリ
１４０  ディスプレイ
１５０  キーボード
１６０  マイクロフォン
１７０  アンプ
１８０  ＡＤＣ
１９０  ＤＡＣ
２００  アンプ
２１０  スピーカー
【図１】
2012195813.tif 000003
【図２】
2012195813.tif 000004
【図３】
2012195813.tif 000005
【図４】
2012195813.tif 000006
【図５】
2012195813.tif 000007
【図６】
2012195813.tif 000008
【図７】
2012195813.tif 000009
【図８】
2012195813.tif 000010
【図９】
2012195813.tif 000011
【図１０】
2012195813.tif 000012